(57)【要約】      （修正有）【課題】ガス透過性を改善し、汗排出性と快適性を改善する保護帽の着装体を提供する。【解決手段】パッド１０と複数の面ファスナー装置２０とパッキン３０とを備え、このパッド１０は対向する第１の側面１１と第２の側面１２とを備え、この第１の側面１１にガス抜き領域１１１とこのガス抜き領域１１１に隣接する調整領域１１２とが形成され、このガス抜き領域１１１に多数の凸状柱部１３が形成され、これらの面ファスナー装置２０がパッド１０の中に設置され、第２の側面１２に設置された面ファスナー装置２０の面ファスナーユニットが保護帽のライナーに接着可能であり、第１の側面１１の凸状柱部１３がユーザの頭部と接触することで、ユーザの頭部とパッド１０との間にガス抜きの隙間が形成され、効果的にガス透過性を向上させるとともに、凸状柱部１３と頭部との接触面積が小さいので、汗排出性と快適性を向上させることができる。【選択図】図１
0003202330.tif 000002
【実用新案登録請求の範囲】
【請求項１】
対向する第１の側面と第２の側面とを備え、この第１の側面にガス抜き領域が形成され、このガス抜き領域に複数の凸状柱部が形成されるパッドと、
このパッドに設けられ、パッドの第２の側面に設置された複数の面ファスナーユニットを有する面ファスナー装置と
を含む保護帽の着装体。
【請求項２】
上記パッドにおいて、第１の側面上に上記ガス抜き領域と隣接する調整領域を形成し、上記面ファスナー装置は複数の面ファスナー部材を含み、これらの面ファスナー部材はパッドの調整領域に設けられ、当該保護帽の着装体はパッキンを含み、このパッキンがパッドの調整領域の面ファスナー部材の上に着脱可能に設置される請求項１に記載の保護帽の着装体。
【請求項３】
上記パッドは中心ブロックを備え、この中心ブロックの外縁に第１の主翼と第２の主翼が延在し、上記調整領域が第２の主翼の底面に位置し第２の主翼の末端に近接する請求項２に記載の保護帽の着装体。
【請求項４】
上記パッドにおいて上記中心ブロックの外縁に複数の補助翼が延在する請求項３に記載の保護帽の着装体。
【請求項５】
上記中心ブロックに貫通穴を穿設し、第１の主翼と第２の主翼の上にそれぞれ穿孔を少なくとも一つ設置する請求項３に記載の保護帽の着装体。
【請求項６】
上記中心ブロックに貫通穴を穿設し、第１の主翼と第２の主翼の上にそれぞれ穿孔を少なくとも一つ設置し、これらの補助翼の上に長孔状穿孔を設置する請求項４に記載の保護帽の着装体。
【請求項７】
上記パッドの第２の側面と調整領域とそれぞれに組立溝を少なくとも一つ設置し、面ファスナーユニットごとに第１の面ファスナー手段を含み、この第１の面ファスナー手段がパッドの第２の側面に設置され、面ファスナー装置の面ファスナー部材がパッドの調整領域の組立溝に設置される請求項２から請求項６のいずれか１項に記載の保護帽の着装体。
【請求項８】
面ファスナーユニットごとに第２の面ファスナー手段を含み、この第２の面ファスナー手段が第１の面ファスナー手段に着脱可能に設置される請求項７に記載の保護帽の着装体。
【請求項９】
上記凸状柱部は片状をなす柱体である請求項１から請求項６のいずれか１項に記載の保護帽の着装体。
【請求項１０】
上記凸状柱部は片状をなす柱体である請求項８に記載の保護帽の着装体。
【請求項１１】
上記凸状柱部は錐状をなす柱体である請求項１から請求項６のいずれか１項に記載の保護帽の着装体。
【請求項１２】
上記凸状柱部は錐状をなす柱体である請求項８に記載の保護帽の着装体。
【請求項１３】
上記凸状柱部は片状と錐状をなす柱体である請求項１から請求項６のいずれか１項に記載の保護帽の着装体。
【請求項１４】
上記凸状柱部は片状と錐状をなす柱体である請求項８に記載の保護帽の着装体。
【考案の詳細な説明】
【技術分野】
【０００１】
本考案は保護帽の着装体に関わり、特に、保護帽内に設けられた保護帽の着装体に関わる。
【背景技術】
【０００２】
保護帽は帽体を備え、この帽体内にライナーが設置され、このライナーの裏面が生地に覆われ、ユーザは保護帽をかぶると、ユーザの頭部がライナーの生地と直接接触し、ライナーとユーザの頭部の間には直接接触なので隙間がなく、空気の流通ができないため、そのガス透過性がよくなくなり、ユーザは保護帽をかぶる際に、頭部がかなり暑いので、汗をかきやすくなり、生地は汗を吸収した後で、異臭を生じる場合がある。
【０００３】
ガス透過性を向上させるために保護帽の着装体が設計された。この保護帽の着装体は軟質なパッドを備え、このパッドは対向する第１の側面と一第２の側面とを備え、第１の側面に凸粒が数多く設置され、第２の側面が平面であり、パッドは放射状に外側へ延在して間隔を空けて設置された位置決め片を備え、保護帽の着装体は保護帽の中に収納可能であり、位置決め片により保護帽のライナーに当接し、パッドの第１の側面とこれらの凸粒はライナーに向かい、パッドの第２の側面はユーザの頭部に付着し、これらの凸粒によりパッドとライナーとの間で隙間が形成されることで、ガス透過性を向上させる。
【０００４】
しかしながら、上記保護帽の着装体は各位置決め片によりライナーに当接するが、軟質なパッドが安定的に支持することができなく、位置決め効果が悪く、保護帽の着装体が摺動又は脱落しやすくなる。また、この保護帽の着装体は平面状の第２の側面によりユーザの頭部に付着し、ユーザの頭部と保護帽の着装体との間に隙間がないので、ガス透過性が悪く、さらに保護帽の着装体が汗を吸収することができないため、汗排出性が悪く、また、この保護帽の着装体の第２の側面が平面であり、かつユーザの頭部と大きい面積で接触するので、快適性が優れない。
【考案の概要】
【考案が解決しようとする課題】
【０００５】
本考案は、現在の保護帽の着装体の位置決めの効果が優れず、ガス透過性が好ましくなく、汗排出性と快適性が悪いという課題を改善するための保護帽の着装体を提供することを主要目的とする。
【課題を解決するための手段】
【０００６】
前述した目的を達成するために、本考案における保護帽の着装体は
対向する第１の側面と第２の側面とを備え、この第１の側面にガス抜き領域が形成され、このガス抜き領域に複数の凸状柱部が形成されるパッドと、
このパッドに設けられ、パッドの第２の側面に設置された複数の面ファスナーユニットを有する面ファスナー装置とを含む。
【０００７】
上記によれば、当該保護帽の着装体は第２の側面に設置された面ファスナーユニットにより、着脱可能に保護帽内に結合可能で、ユーザが保護帽をかぶる際に、ユーザの頭部が保護帽の着装体の第１の側面の凸状柱部と直接接触し、これらの凸状柱部により頭部とパッドとの間の隙間を支え出し、頭部とパッドとの間の隙間を気流が流れることができ、効果的に暑さを低減してガス透過性を向上させる。また、保護帽の着装体とユーザ頭部との接触面積が小さいので、汗排出効果と快適性を向上可能であり、第２の側面における数多くの面ファスナーユニットによりパッドが安定的に保護帽に結合され、保護帽の着装体が摺動、脱落することがないので、安定性が優れている。
【図面の簡単な説明】
【０００８】
【図１】本考案の保護帽の着装体の好適な一実施例の立体外観の分解概略図。
【図２】本考案の保護帽の着装体の好適な一実施例の又一つの立体外観分解概略図。
【図３】本考案の保護帽の着装体の好適な一実施例のパッドを結合するための面ファスナー装置の底面平面概略図。
【図４】本考案の保護帽の着装体の好適な一実施例の使用状態の概略図（一）。
【図５】本考案の保護帽の着装体の好適な一実施例の使用状態の概略図（二）。
【考案を実施するための形態】
【０００９】
図１〜図３を参照し、本考案の保護帽の着装体の好適な一実施例を説明する。それはパッド１０と面ファスナー装置２０とパッキン３０とを含む。
【００１０】
上記パッド１０は、対向する第１の側面１１と一第２の側面１２とを備え、この第１の側面１１にガス抜き領域１１１とこのガス抜き領域１１１に隣接する調整領域１１２とが形成され、このガス抜き領域１１１に凸状柱部１３が数多く形成される。また、パッド１０は中心ブロック１４を備え、この中心ブロック１４の外縁に第１の主翼１５と第２の主翼１６とが延在している。上記調整領域１１２が第２の主翼１６の底面に位置してこの第２の主翼１６の末端に近接している。パッド１０は、中心ブロック１４の外縁に、間隔を空けて設置された複数の補助翼１７が延在し、中心ブロック１４に貫通穴１４１が穿設され、第１の主翼１５と第２の主翼１６との上にそれぞれ穿孔１５１、１６１が少なくとも一つ設置され、上記複数の補助翼１７にそれぞれ長形穿槽１７１が設置される。また、中心ブロック１４の底面、第１の主翼１５の底面、第２の主翼１６の一部の底面と補助翼１７の底面にガス抜き領域１１が形成され、中心ブロック１４、第１の主翼１５、第２の主翼１６及び補助翼１７の頂面に調整領域１１２が形成され、そして、パッド１０の第２の側面１２と調整領域１１２にそれぞれ組立溝１８が少なくとも一つ設置される。また、各凸状柱部１３が片状をなす柱体、錐状をなす柱体、或いは片状と錐状をなす柱体でもいい。なお、片状をなす凸状柱部１３はさらに角状に湾曲することができる。
【００１１】
面ファスナー装置２０はパッド１０に設けられ、この面ファスナー装置２０は多数の面ファスナーユニット２１と複数の面ファスナー部材２２とを含み、これらの面ファスナーユニット２１がパッド１０の第２の側面１２に設けられ、かつ面ファスナーユニット２１ごとに第１の面ファスナー手段２３を含み、さらに、第２の面ファスナー手段２４を含み、この第２の面ファスナー手段２４が第１の面ファスナー手段２３に着脱可能に設けられ、これらの面ファスナー部材２２がパッド１０の調整領域１１２に設置され、そして、上記第１の面ファスナー手段２３がパッド１０の第２の側面１２の組立溝１８に組立設置され、上記面ファスナー部材２２が調整領域１１２の組立溝１８に設けられる。
【００１２】
パッキン３０はパッド１０の調整領域１１２の面ファスナー部材２２の上に着脱可能に設置され、そして、このパッキン３０は生地で縫製してなる部材である。
【００１３】
図４及び図５に示すように、自転車用保護帽４０を例として、保護帽の着装体が自転車用保護帽４０内に設置可能であり、そして、保護帽４０内に設置される生地が取り外すことができ、第２の面ファスナー手段２４が接着剤で保護帽４０内に接着することができるし、または保護帽４０に第１の面ファスナー手段２３と掛け合える結合部が設置させておき、上記面ファスナーユニット２１の第２の面ファスナー手段２４が接着剤で保護帽４０内に接着することができ、また、保護帽の着装体のパッド１０が第１の面ファスナー手段２３と第２の面ファスナー手段２４により保護帽４０に着脱可能に設けられる。ユーザが保護帽４０をかぶる際に、ユーザの頭部５０と保護帽の着装体の第１の側面１１の各凸状柱部１３とは直接接触し、これらの凸状柱部１３により頭部５０とパッド１０との間の隙間を支え出し、頭部５０とパッド１０との間の隙間を気流が流れるこができ、暑さを低減する。
【００１４】
図４に示すように、保護帽の着装体の第１の主翼１５はユーザの頭部５０の額の上方に近接し、かつパッキン３０が第２の主翼１６に接着されておらず、ユーザは凸部１３が額の上方に当接することで不快適であれば、保護帽の着装体を取り外して方向を変更してから取り付けることができ、即ち、図５に示すように、保護帽の着装体の第２の主翼１６の調整領域１１２をユーザの額の上方に近接させ、パッキン３０を第２の主翼１６の底面の調整領域１１２に組立て、パッキン３０がユーザの頭部５０に隣接することができ、快適性を向上させる。
【００１５】
また、パッド１０の貫通穴１４１、穿孔１５１、１６１と長孔状穿孔１７１の設置により、パッド１０を変形して保護帽４０に組み立てやすくなる。
【００１６】
要するには、保護帽の着装体におけるパッド１０の第２の側面１２に設置された面ファスナーユニット２１により、保護帽の着装体が安定的に保護帽４０内に設置させることができ、摺動・脱落することがないので、安定性が優れているし、保護帽の着装体の各凸状柱部１３がユーザの頭部５０に直接接触することで、ユーザの頭部５０とパッド１０との間にガス抜きの隙間が形成され、ガス透過性が優れている。また各凸状柱部１３は頭部５０をマッサージすることができるし、衝撃時に緩衝を提供することができる。また、パッド１０は保護帽４０に着脱可能に設置され、パッキン３０とあわせて快適性を向上させることができ、パッド１０の貫通穴１４１、穿孔１５１と長孔状穿孔１７１は変形の空間を提供することにより、パッド１０がより適切に保護帽４０の上に設置され、保護帽の着装体とユーザの頭部５０との接触面積が小さく、汗排出効果と快適性を向上させることができる。
【符号の説明】
【００１７】
１０  パッド
１１  第１の側面
１１１  ガス抜き領域
１１２  調整領域
１２  第２の側面
１３  凸状柱部
１４  中心ブロック
１４１  貫通穴
１５  第１の主翼
１５１  穿孔
１６  第２の主翼
１６１  穿孔
１７  補助翼
１７１長孔状穿孔
１８  組立溝
２０  面ファスナー装置             
２１  面ファスナーユニット
２２  面ファスナー部材
２３  第１の面ファスナー手段
２４  第２の面ファスナー手段
３０  パッキン
４０  保護帽
５０  頭部
【図１】
0003202330.tif 000003
【図２】
0003202330.tif 000004
【図３】
0003202330.tif 000005
【図４】
0003202330.tif 000006
【図５】
0003202330.tif 000007